(57)【要約】      （修正有）【課題】蓋の環状凸部の内周立上がり壁と容器本体の天板部のカール部との間に形成された隙間から、収納物が浸潤して錆が発生するのを防止し、製品不良を解消する金属製缶を提供する。【解決手段】容器本体の断面Ｕ字状の環状凹部１３を形成した天板部１１を、容器本体の上端開口縁部に設けると共に、天板部１１の環状凹部１３に圧入嵌合する環状の凸部２１が蓋２０の裏面側の外周側に突出して形成してある、容器本体と蓋２０とからなる金属製缶である。蓋２０の裏面側に形成した環状凸部２１の内周立上り壁２１ａと、蓋２０の天板部２２の裏面２２ａとの間には、合成ゴム２３を環状に塗着して封止してあることを特徴とする。【選択図】図４
0003202099.tif 000002
【実用新案登録請求の範囲】
【請求項１】
中央部に環状の開口部を有し、かつ該環状開口部の外周に断面Ｕ字状の環状凹部を形成した天板部を、容器本体の上端開口縁部に設けると共に、前記天板部の環状凹部に圧入嵌合する環状の凸部が蓋の裏面側の外周側に突出して形成してある、容器本体と蓋とからなる金属製缶において、
前記蓋の裏面側に形成した環状凸部の内周立上り壁と、蓋の天板部の裏面との間には、合成ゴムを環状に塗着して封止してあることを特徴とする塗料が収容されてなる金属製缶。
【考案の詳細な説明】
【技術分野】
【０００１】
本考案は、塗料や溶剤等の収容物を収納する金属製缶に係り、詳しくは、その蓋（缶蓋）の改良に関するものである。
【背景技術】
【０００２】
従来、この種の金属製缶として、例えば、特開２００２−３７２５１号公報（以下、特許文献１という。）に示されているように、中央部に環状の開口部を有し、かつ該環状開口部の外周に断面Ｕ字状の環状凹部を形成した天板部を、容器本体の上端開口縁部に設けると共に、前記天板部の環状凹部に圧入嵌合する環状の凸部が蓋の裏面側の外周側に突出して形成してある、容器本体と蓋とからなるものが知られている。
【０００３】
そして、上記金属製缶は、天板部及び蓋（缶蓋とも言う。）の表面及び裏面のいずれも、ポリエチレン、ポリプロピレン、ポリエチレンテレフタレートなどの合成樹脂フィルムで被膜して、錆びの発生を防止するようにしている。
【０００４】
この従来例の金属製缶の構成を図６〜図８に基づいて以下に説明する。
図６は蓋（缶蓋）の底面図、図７は前記蓋を、容器本体の上端部開口縁に巻締めにより結合した天板部に被蓋した場合の部分縦断面図、図８は図７の要部拡大縦断面図である。
【０００５】
この従来例の蓋（缶蓋）６０の裏面は、前述したように、ポリエチレン、ポリプロピレン等の合成樹脂フィルムで被覆されているだけである。
【０００６】
そのため、容器本体５０に水性塗料等の収容物を充填して前記蓋６０を閉蓋し製品として、例えば搬送等する際に、容器本体５０の天板部５１と蓋６０の裏面との隙間Ｓに収容物が浸潤し、その隙間Ｓ部分に錆が発生する場合があった。
【０００７】
すなわち、図７及び図８に基づいて説明すると、容器本体５０の天板部５１の環状凹部５３には中央開口部５２側の内周立上り壁５３ａ上端部にカール部５３ｂを形成している。そして、天板部５１の環状凹部５３に蓋６０の環状凸部６１を嵌合して、天板部５１に蓋６０を閉蓋したとき、蓋６０の環状凸部６１の内周立上り壁６１ａと、前記天板部５１のカール部５３ｂの間には僅かな隙間Ｓが形成される。その結果、収容物を充填した製品が搬送等により振動されると、前記隙間Ｓへ収容物が浸潤し、天板部５１のカール部５３ｂ周辺や蓋６０の内周立上り壁６１ａ等が錆びてしまい、製品不良となる虞れがあった。
【先行技術文献】
【特許文献】
【０００８】
【特許文献１】特開２００２−３７２５１号公報
【考案の概要】
【考案が解決しようとする課題】
【０００９】
上記特許文献１の金属製缶によれば、前述したように、製品搬送等の振動により、前記隙間Ｓから収容物が浸潤し、天板部５１のカール部５３ｂ周辺や蓋６０の内周立上り壁６１ａ等が錆びてしまい、製品不良となる虞れがあった。
【００１０】
本考案は、上記従来の問題を解消しようとするものであり、蓋の環状凸部の内周立上り壁と、前記天板部のカール部との間に形成された隙間へ収容物が浸潤しないようにして、天板部のカール部周辺や蓋の内周立上り壁等の錆びの発生を防止すると共に、発錆に起因する製品不良を解消した金属製缶を提供することを目的とする。
【課題を解決するための手段】
【００１１】
上記目的を達成するため、本考案の金属製缶は、中央部に環状の開口部を有し、かつ該環状開口部の外周に断面Ｕ字状の環状凹部を形成した天板部を、容器本体の上端開口縁部に設けると共に、前記天板部の環状凹部に圧入嵌合する環状の凸部が蓋の裏面側の外周側に突出して形成してある、容器本体と蓋とからなる金属製缶において、
前記蓋の裏面側に形成した環状凸部の内周立上り壁と、蓋の天板部の裏面との間には、合成ゴムを環状に塗着して封止してあることを特徴とする塗料が収容されてなる金属製缶である。
【考案の効果】
【００１２】
本考案の金属製缶は、容器本体と蓋とからなり、容器本体の上端開口縁部には、中央部に環状の開口部を有し、かつ該環状開口部の外周に断面Ｕ字状の環状凹部を形成した天板部が巻締め等により結合されている。そして、蓋の裏面側の外周側には、前記天板部の環状凹部に圧入嵌合する環状の凸部が突出して形成してある。
上記構成において、本考案に係る蓋の裏面側に形成した環状凸部の内周立上り壁と、蓋の天板部の裏面との間には、シール用ラバー、多孔質状ラバーなどの弾性を有する合成ゴムを塗着して封止してあることから、前記従来例で説明した蓋の環状凸部の内周立上り壁と容器本体の天板部のカール部との間に形成された隙間Ｓが、前記合成ゴムのクッション的な役割によって完全に封止されるので、製品の振動等による収容物の浸潤が防止され防錆効果が向上されるばかりか、製品不良を解消できる。
【図面の簡単な説明】
【００１３】
【図１】金属製缶を構成する容器本体と蓋とを分解して示した斜視図である。
【図２】本考案の一実施の形態における容器本体に蓋を取付けた状態の一部縦断面図である。
【図３】蓋の底面図である。
【図４】図２の一部を拡大して示した縦断面図である。
【図５】図４の一部を拡大して示した縦断面図である。
【図６】従来例の金属製缶の蓋の底面図である。
【図７】図６の蓋を、容器本体の天板部に被蓋した場合の部分縦断面図である。
【図８】図７の要部拡大縦断面図である。
【考案を実施するための形態】
【００１４】
本考案の実施の形態の一例を図１〜図５に基づいて以下に説明する。
この金属製缶１は、金属製の容器本体１０と蓋２０とからなっている。容器本体１０は、有底筒状で上面が開口されており、この容器本体１０の上端開口縁部１０ａに巻締めにより天板部１１が設けられている。そして、この天板部１１には、中央部に環状の開口部１２を有し、かつ該環状開口部１２の外周に断面Ｕ字状の環状凹部１３が形成されている。また、天板部１１の外周端縁部の折曲部１１ａは容器本体１０の上端開口縁部１０ａと巻締めされている（図２参照）。
【００１５】
蓋２０は、前記天板部１１の環状開口部１２を閉じる略平板状の蓋であるが、この蓋２０の裏面側の外周側には、前記天板部１１の環状凹部１３に圧入嵌合する環状の凸部２１が形成されている。この環状凸部２１を天板部１１の環状凹部１３に圧入嵌合することによって、金属製缶の密封状態が保持される。なお、図１〜図５で２２は蓋の天板部である。
【００１６】
容器本体１０及び蓋２０の裏面には、ポリエチレン、ポリプロピレン、ポリエチレンテレフタレートなどの合成樹脂フィルム（図示せず）が被膜してあり、これにより、容器本体１０と蓋２０との閉蓋状態における静止状態時には両者１０、２０が錆びるのを防止するようにしている。
【００１７】
以上の構成において、蓋２０の裏面側に形成した環状凸部２１の内周立上り壁２１ａと、蓋２０の天板部２２の裏面２２ａとの間には、発泡ラバーなどの合成ゴム２３を環状に塗着して封止してある。これによって、蓋２０の環状凸部２１の内周立上り壁２１ａと、容器本体１０の天板部１１に形成された環状凹部１３の内周立上り壁１３ａのカール部１３ｂとの間に形成された従来例の隙間Ｓ部分が、前記合成ゴム２３で封止される。従って、従来例の如く隙間Ｓから収納物が浸潤することがなくなるので、天板部１１のカール部１３ｂ周辺や蓋２０の内周立上り壁２１ａ周辺などの錆の発生を防止することができる。
【００１８】
前記合成ゴム２３は、発泡ラバーなどを環状に塗着してあるので、一般的に使用されるＯリング状パッキン等に比べて外れることがなく、防錆効果を長く保持できる利点がある。
【符号の説明】
【００１９】
１      金属製缶
１０    容器本体
１１    天板部
１２    環状開口部
１３    環状凹部
１３ａ  内周立上り壁
１３ｂ  カール部
２０    蓋
２１    環状凸部
２１ａ  内周立上り壁
２２    天板部（蓋の）
２２ａ  裏面
２３    合成ゴム
５０    容器本体
５１    天板部
５２    環状開口部
５３    環状凹部
５３ａ  内周立上り壁
５３ｂ  カール部
６０    蓋
６１    環状凸部
６１ａ  内周立上り壁
６２    天板部（蓋の）
６２ａ  裏面
【図１】
0003202099.tif 000003
【図２】
0003202099.tif 000004
【図３】
0003202099.tif 000005
【図４】
0003202099.tif 000006
【図５】
0003202099.tif 000007
【図６】
0003202099.tif 000008
【図７】
0003202099.tif 000009
【図８】
0003202099.tif 000010